【手続補正書】
【提出日】平成15年7月8日(2003.7.8)
【手続補正１】
【補正対象書類名】明細書
【補正対象項目名】特許請求の範囲
【補正方法】変更
【補正の内容】
【特許請求の範囲】
【請求項１】
とりわけ安全ベルト用の膨張可能な帯状物（１）の製造方法において、
以下の各ステップ：
１．１  上側層（Ｏ）と下側層（Ｕ）とを備える２層織布を下記の構造を有するように機織するステップ：
ａ）前記織布は少なくとも１つの左外側部（ＬＡ）と、中央部（Ｍ）と、少なくとも１つの右外側部（ＲＡ）とからなり、ここで少なくとも１つの左外側部（ＬＡ）、中央部（Ｍ）および少なくとも１つの右外側部（ＲＡ）はほぼ同じ幅であり、
ｂ）外側部の縦糸は中央部の縦糸よりも細く、
ｃ）縦糸が、幅広の中央部（Ｍ）に対して細い畳み込みゾーン（ＦＺ）においては中央部（Ｍ）の縦糸よりも細く、しかし外側部（ＬＡ，ＲＡ）における縦糸よりも太く、ただし前記細い畳み込みゾーンは、中央部（Ｍ）とこれに隣接する外側部（ＬＡ，ＲＡ）との間にそれぞれ存在するものであり、
ｄ）上側層（Ｏ）と下側層（Ｕ）とは外側部の最外縁部の領域で相互に織り込まれており、
ｅ）上側層（Ｏ）と下側層（Ｕ）とは、２つの細い畳み込みゾーンの領域において少なくとも、縦糸方向に延在する少なくとも１つの引裂糸（ＡＦ）によって相互に結合されている構造を有するように機織するステップ；
１．２  最外の外側部（ＲＡ１，ＬＡ１）を隣接部分（ＲＡ２，Ｍ，ＬＡ２）に折り返し、重ね合わせ、全ての部分（ＲＡ１，ＲＡ２，Ｍ，ＬＡ２，ＬＡ１）が順次、中央部（Ｍ）の上方ないし下方に来るようにし、これにより縦糸方向で見て、扁平に圧縮されたジグザグ形状が得られるようにするステップ；
１．３  中央部を「左へ」裏返し、以前は相互に向き合っていた中央部の上側層（Ｏ）と下側層（Ｕ）とが外側に来て、折れ返された外側部（ＲＡ１，ＲＡ２，ＬＡ２，ＬＡ１）と中央部（Ｍ）がそれらに間に包囲されるようにするステップ；
を有することを特徴とする製造方法。
【請求項２】
２層織布は次の構造を有する：すなわち、
ａ）織布のバンド幅は左外側部（ＬＡ）、中央部（Ｍ）、および右外側部（ＲＡ）に区分されており、３つの部分はほぼ同じ幅を有し、
ｂ）外側部（ＲＡ，ＬＡ）の縦糸は、通常のエアバッグに対する縦糸の繊度（dtex）、とりわけ中央部（Ｍ）の縦糸の繊度（dtex）の約１／１０の繊度（dtex）を有しており、
ｃ）それぞれ中央部（Ｍ）と外側部（ＲＡ，ＬＡ）との間にある２つの細い畳み込みゾーン（ＦＺ）においては縦糸が中央部（Ｍ）における縦糸よりも細く、とりわけ中央部（Ｍ）の縦糸の繊度（dtex）の約１／２の繊度（dtex）を有しており、
ｄ）２つの織布層は、外側部（ＲＡ，ＬＡ）の外側縁部領域では相互に織り込まれており、
ｅ）２つの織布層（Ｏ，Ｕ）は２つの細い畳み込みゾーン（ＦＺ）の領域では少なくとも、実質的に縦糸方向に延在する少なくとも１つの引裂糸（ＡＦ）によって相互に結合されている構造を２層織布が有する、
ことを特徴とする請求項１記載の方法。
【請求項３】
２つの織布層は中央部（Ｍ）の中央領域において、縦糸方向に延在する少なくとも２つの引裂糸によって相互に織り込まれている、ことを特徴とする請求項１または２記載の方法。
【請求項４】
織布は折り返しの前に外側が被覆される、ことを特徴とする請求項１から３までのいずれか１項記載の方法。
【請求項５】
とりわけ安全ベルト用の帯状物であって、機織された２層織布（上側層、下側層）を有し、請求項１から４までのいずれか１項記載の方法により織られた帯状物において、
以下の各特徴；
ａ）織布のバンド幅は、左外側部（ＬＡ）、中央部（Ｍ）、右外側部（ＲＡ）に区分されており、３つの部分はほぼ同じ幅を有し、
ｂ）外側部の縦糸は中央部の縦糸よりも細く、
ｃ）縦糸は、幅広の中央部（Ｍ）に対して細い畳み込みゾーン（ＦＺ）においては中央部（Ｍ）の縦糸よりも細く、しかし外側部（ＬＡ，ＲＡ）におけるよりも太く、ただし前記畳み込みゾーンは、中央部（Ｍ）とこれに隣接する外側部（ＬＡ，ＲＡ）との間にそれぞれ存在するものであり、
ｄ）上側層（Ｏ）と下側層（Ｕ）は外側部の最外縁部領域で相互に織り込まれており、
ｅ）上側層（Ｏ）と下側層（Ｕ）は２つの細い畳み込みゾーン（ＦＺ）の領域では少なくとも、縦糸方向に延在する少なくとも１つの引裂糸（ＡＦ）によって相互に結合されており、
ｆ）左外側部（ＬＡ）は左畳み込みゾーン（ＦＺ）に沿って中央部（Ｍ）の上側層（Ｏ）に折り返されており、
ｇ）右外側部（ＲＡ）は右畳み込みゾーンに沿って中央部（Ｍ）の下側層（Ｕ）に折り返されており、これにより縦糸方向で見て、扁平に圧縮されたＺ字形の形状が得られ、
ｈ）中央部（Ｍ）は「左へ」裏返されており、これにより以前は相互に向き合っていた中央部（Ｍ）の上側層（Ｏ）と下側層（Ｕ）が外側に来て、折り返された外側部（ＲＡ，ＬＡ）と中央部（Ｍ）はそれらの間に包囲されること、
を有するよう構成されることを特徴とする帯状物。
【請求項６】
２つの細い畳み込みゾーン（ＦＺ）に延在する引裂糸（ＡＦ）は織られているか、または縫われている、ことを特徴とする請求項５記載の帯状物。
【請求項７】
織布は外側が被覆されている、ことを特徴とする請求項５または６記載の帯状物。
【請求項８】
横糸はマルチフィラメントおよび／または単繊維からなる、請求項５から７までのいずれか１項記載の帯状物。
【請求項９】
ラポールに織られた帯状物の製造方法において、
・ステップ「１．１  ２層織布の機織」を、２層織布が次のさらなる特徴を有するように実行し：すなわち、
１．１  ｆ）織布は、一部が異なって織られた２つの部分に区分されており、すなわち帯状物の巻き取り領域（ＡＲＢ）と帯状物の膨張領域（ＡＢＢ）とに区分されており、
ｇ）帯状物の外側部（ＬＡ，ＲＡ）の上側層（Ｏ）と下側層（Ｕ）とは織られた横縫い目（７，９）によって横糸方向に、所定の帯に沿って巻き取り領域（ＡＲＢ）と膨張領域（ＡＢＢ）との間で相互に織り込まれており、
ｈ）帯状物の外側部（ＬＡ，ＲＡ）の上側層（Ｏ）と下側層（Ｕ）とは縦縫い目（５，１１）によって縦糸方向に、巻き取り領域（ＡＲＢ）において畳み込みゾーン（ＦＺ）に直接並んで延在する帯に沿って相互に織り込まれているように実行し、
・ステップ「１．３中央部（Ｍ）の裏返し」の前に次のステップを実行する：すなわち、
１．３１  それぞれ織られた縦縫い目（５，１１）および横縫い目（７，９）により残りの帯状物から区分された外側部（ＡＳ）（図７）を切断するステップを実行する、
ことを特徴とする請求項１から４までのいずれか１項記載の方法。
【請求項１０】
延長された部分帯状物のステップ「１．３中央部（Ｍ）の裏返し」の後に次のステップを実行する：すなわち、
１．５  延長された帯状物（１３）の所定の長さの端部領域（ＥＢ）を、２層織布の外側部（ＬＡ／ＲＡ）を有する上側層（Ｏ）と、２層織布の外側部（ＲＡ／ＬＡ）を有する下側層（Ｕ）との間に挿入し、
１．６  今や重なり合う中央部（Ｍ）の上側層を、外側部（ＲＡ／ＬＡ）、延長された帯状物の所定の長さの端部領域（ＥＢ）、外側部（ＬＡ／ＲＡ）を有する中央部（Ｍ）下側層と、１つまたは複数の縫い目（ＶＮ）によって縫い合わせ、当該縫い目は層の重なり合う端部領域（ＥＢ）の撓み柔軟性が維持される程度に間隔をおかれるようにするステップを実行する、
ことを特徴とする請求項１から４までのいずれか１項記載の方法。